(57)【要約】      （修正有）【課題】土台パーツ上にワンタッチで装飾パーツを容易に取付可能にすると共に土台パーツと装飾パーツの位置決めを確保し、多種多様な装飾パーツを土台パーツに容易に取付けることができるネイルの装飾具を提供する。【解決手段】ネイルの装飾具に備えた土台パーツ１は、左・右対称の形状を有している。左・右はそれぞれいわゆる蝶の一方、他方の羽根を示すもので左右対称であり、各々の略中央部は貫通孔を穿孔している。貫通孔は直径が２ｍｍ程度の真円孔であり、厚さが２ｍｍ程度の円盤状でなる土台パーツ側磁石４、５に装着することで構成する。【選択図】図８
0003201704.tif 000002
【実用新案登録請求の範囲】
【請求項１】
少なくとも一つの土台パーツ側磁石を装着する貫通孔を備えかつ左右対称の表面形状を形成してなる土台パーツと、背面に形状した盲孔に吸着固定する装飾パーツ側磁石を備え、かつ該装飾パーツ側磁石が前記土台パーツ側磁石の頂面に吸着させてなる装飾パーツとを備えたことを特徴とするネイルの装飾具。
【考案の詳細な説明】
【技術分野】
【０００１】
本考案は、土台パーツと装飾パーツで組合せてなるネイルの装飾具に関する。
【背景技術】
【０００２】
この種、従来の技術に於けるネイルのパーツとしては実用新案登録第３１９７８５３号登録実用新案公報に開示した技術がある。これについて説明すれば、従来の技術では爪側固定部材が、ナット状であり、ネイルパーツ本体のネイルパーツ側固定部が、ボルト状であり、ネイルパーツ側固定部が、爪側固定部材に螺嵌される構造であった。
【先行技術文献】
【特許文献】
【０００３】
【特許文献１】実用新案登録第３１９７８５３号登録実用新案公報
【考案の開示】
【考案が解決しようとする課題】
【０００４】
従来の技術は叙上した構成、作用であるので次の課題が存在した。
すなわち、従来の技術では、爪側固定部材とネイルパーツ側固定部がボルトねじで回転動作により両者を固定するので、固定方法が迅速ではなく、ボルトねじの製作工数が増大しネイルパーツ全体が著しく大きくなるばかりか高価となり見栄えが悪くネイルパーツの流行に遅れることとなり、ネイルパーツ本体を交換する場合容易ではないという問題点があった。
【課題を解決するための手段】
【０００５】
本考案はかかる問題点を解決するために考案したものである。すなわち、土台パーツと装飾パーツとで構成され、土台パーツ上にワンタッチで装飾パーツを取付可能にし、多種多様な装飾パーツを土台パーツに容易に取付けられるネイルの装飾具を提供することを目的としたものであって、次の構成・手段から成立する。
すなわち請求項１記載の考案によれば、少なくとも一つの土台パーツ側磁石を装着する貫通孔を備えかつ左右対称の表面形状を形成してなる土台パーツと、背面に形状した盲孔に吸着固定する装飾パーツ側磁石を備え、かつ該装飾パーツ側磁石が前記土台パーツ側磁石の頂面に吸着させてなる装飾パーツとを備えたことを特徴とするネイルの装飾具を特徴とする。
【考案の効果】
【０００６】
本考案に係るネイルの装飾具は叙上の構成を有するので、次の効果がある。
すなわち、請求項１に記載の考案によれば、少なくとも一つの土台パーツ側磁石を装着する貫通孔を備えかつ左右対称の表面形状を形成してなる土台パーツと、背面に形状した盲孔に吸着固定する装飾パーツ側磁石を備え、かつ該装飾パーツ側磁石が前記土台パーツ側磁石の頂面に吸着させてなる装飾パーツとを備えたことを特徴とするネイルの装飾具を提供する。
このような構成としたので、土台パーツと装飾パーツとで構成され、土台パーツ上にワンタッチで装飾パーツを磁石で容易に取付可能にすると共に土台パーツと装飾パーツとを突起部又は凹陥部により係合させ両者の位置決めを確保し、多種多様な装飾パーツを土台パーツに容易に取付けられるネイルの装飾具を提供できるという効果がある。
【図面の簡単な説明】
【０００７】
【図１】本考案に係るネイルの装飾具の土台パーツの正面図の一例であって、左右の形状部にそれぞれ土台パーツ側磁石を装着する左右の貫通孔を示す図である。
【図２】図１の矢視Ａ−Ａ線方向をから見た拡大部分断面図である。
【図３】本考案に係るネイルの装飾具の土台パーツの左右の貫通孔に土台パーツ側磁石を装着した状態を示す正面図の一例である。
【図４】図３の矢視Ｂ−Ｂ線方向から見たか拡大部分断面図である。
【図５】本考案に係るネイル装飾具の装飾パーツの一例であって、正面図を示す。
【図６】図５の矢視Ｃ−Ｃ線方向から見た拡大部分断面図である。
【図７】図６に示す装飾パーツの盲孔に装飾パーツ側磁石を吸着した状態を示す拡大部分断面図である。
【図８】本考案に係るネイルの装飾具の土台パーツと装飾パーツを吸着接合した状態を示す拡大部分断面図である。
【図９】本考案に係るネイルの装飾具であって、土台パーツを爪に取付けた状態を示す平面図である。
【図１０】本考案に係るネイルの装飾具の装飾パーツの一例を示す平面図である。
【図１１】本考案に係るネイルの装飾具の装飾パーツの他の例を示す平面図である。
【図１２】本考案に係る土台パーツを示す斜視図であって、（ａ）は貫通孔を示す図、（ｂ）は土台パーツ側磁石を示す図である。
【考案を実施するための形態】
【０００８】
以下、本考案の実施の形態について図面を参照しつつ説明する。
図１は本考案の実施の形態にかかるネイルの装飾具に備えた土台パーツ１の一例を示す正面図であって、左・右対称の形状を有している。例えば該土台パーツ１は全体形状が図示するように蝶形状のデザインを施こしている。
左・右はそれぞれいわゆる蝶の一方、他方の羽根１ａ、１ｂを示すもので左右対称であり、各々の略中央部は貫通孔２、３を穿孔している。該貫通孔２、３は直径が２ｍｍ程度の真円孔であり、図３、図４に示すような厚さが２ｍｍ程度の円盤状でなる土台パーツ側磁石４、５装着する。
【０００９】
装着方法としては土台パーツ側磁石４，５を貫通孔２、３に挿入し、図４に示すように土台パーツ１の内側壁１ｃの面から０．５ｍｍ程度に土台パーツ側磁石４、５が突出するように配置し、貫通孔２、３の内壁面と土台パーツ側磁石４、５の外周面との間に接着剤９、９を塗布し図４に示すように固定する。このとき、土台パーツ側磁石４、５の頂面４ａ、５ａが土台パーツ１の外側壁１ｄの面から０．５ｍｍ程度低く設定している。
【００１０】
具体的には人為的又は機械的手段により前記土台パーツ磁石４、５を把み、図４に示すように貫通孔２、３の内壁面に接着剤９、９を浸透させ該土台パーツ側磁石４、５の外周面を貫通孔２、３の内壁面に接着させる。図中６は、一方、他方の羽根１ａ、１ｂの連結部であり、図２、図４に示すように例えば土台パーツ１の外側壁１ｄの略中央に形成され小半球状に形成された突起部６である。そして、該突起部６は後述する装飾パーツ７の内側壁７ａに形成された凹陥部８に嵌合し、土台パーツ１をこれと略同一形状をした装飾パーツ７を重設した際両者を位置決めし、ずれることがないように両者を保持する。
【実施例】
【００１１】
次に本考案に係るネイルの装飾具の実施例について説明する。
上述した実施の形態で示すネイルの装飾具は一例であって、土台パーツ１には左側又は右側若しくは略中央部分に単一又は多数個の貫通孔２又は３を穿孔した構成でもよい。要するに、該土台パーツ１の表面に土台パーツ側磁石４、５に吸着する装飾パーツ７を備えた構成であればよい。
【００１２】
次に、土台パーツ１から装飾パーツ７まで及び人の爪に固定する手順を説明する。
本考案にかかるネイルの装飾具に備えた土台パーツ１は、左・右対称の形状を有している。例えば該土台パーツ１は全体形状が図示するように蝶形状のデザインを施こしている。尚、本考案の土台パーツ１は蝶形状に限定されずシンプルな四角形状等であっても差支えない。要するに土台パーツ１は土台パーツ側磁石４、５が設置できれば良い。
【００１３】
一つの実施例では左・右はそれぞれいわゆる蝶の一方、他方の羽根１ａ、１ｂを示すもので左右対称であり、各々の略中央部は貫通孔２、３を穿孔している。該貫通孔２、３は直径が２ｍｍ程度の真円孔であり、この真円孔は切削機械等で製作する。次に、土台パーツ側磁石４，５を貫通孔２、３に作業員の手や機械等で挿入する。その際土台パーツ側磁石４、５が突出するように配置する。設定基準は前述した通りである。貫通孔２、３の内壁面と土台パーツ側磁石４、５の外周面との間に汎用の接着剤９、９を使用して固定する。このとき、土台パーツ側磁石４、５の頂面４ａ、５ａが土台パーツ側磁石４、５の外側壁１ｄの面から０．５ｍｍ程度低い位置に設定する。そこで土台パーツ側磁石４、５の外周面を貫通孔２、３の内壁面に接着・固定させる。
【００１４】
次に本考案に係る装飾パーツ７を製作する。
装飾パーツ７は前述した土台パーツ１と同様に図６に示すように左右対称位置に盲孔７ａ、７ｂを人為的又は機械手段によりその内側壁７ｃ部分に穿孔する。その深さは装飾パーツ側磁石１２、１３の概ね厚さの２分の１程度とし、図７に示すように汎用の接着剤９、９を介して該装飾パーツ側磁石１２、１３を装飾パーツ７に接着剤９を塗布して接着・固定する。該装飾パーツ側磁石１２、１３の寸法、形状は土台パーツ側磁石４、５と略同一にする。上述の説明は盲孔７ａ、７ｂ及び装飾パーツ側磁石１２、１３をそれぞれ左・右すなわち２個設定したが本考案はこれに限定されず単一又は複数個設定してもよい。
【００１５】
次に本考案に係るネイルの装飾具を人間の爪に取付ける手順を概説すれば、図９に示すように爪１４の表面にジェル接着剤１５例えばその成分が、ウレタンメタアクリレートオリゴマー、メタクリル酸イソボルニル、メタクリル酸ヒドロキシエチル、ヒドロキシシクロヘキシルフェニケトン、メタクリロキシプロピルトリメトキシシラン等で構成されるものを爪１４の表面に塗布する。ジェル接着剤１５を爪１４に塗布した後土台パーツ１を載置して接着・固定する。そして、土台パーツ側磁石４、５と装飾パーツ側磁石１２、１３を適合させ図８に示すように両者をいわゆるワンタッチ方式で吸着固定する。
【００１６】
前記装飾パーツ７は土台パーツ１と形状等が必ずしも同一でなくてもよく、図１０に示すように例えばハート形状の葉や花びら１１で構成してもよく、また図１１に示すように図１０に示す形状に更に小さいハート形状の葉や花びら１０を付加設定してもよい。その他装飾パーツの形状は需要者の好みに応じて種々の形状に設定する。
【産業上の利用可能性】
【００１７】
本考案に係るネイルの装飾具は、土台パーツと装飾パーツをワンタッチ方式により吸着固定することができ、両者の組合せを簡易迅速行いまた、又装飾パーツのデザインを時代の流行に合せて取り替えることができその利用範囲は広いものである。
【符号の説明】
【００１８】
１        土台パーツ
１ａ      羽根
１ｂ      羽根
１ｃ      土台パーツの内側壁
１ｄ      土台パーツの外側壁
２        貫通孔  
３        貫通孔
４        土台パーツ側磁石
４ａ      土台パーツ側磁石の頂面
５        土台パーツ側磁石
５ａ      土台パーツ側磁石の頂面
６        突起部
７        装飾パーツ
７ａ      装飾パーツの盲孔
７ｂ      装飾パーツの盲孔
７ｃ      装飾パーツの内側壁
８        凹陥部
９        接着剤
１０      装飾パーツの小さい葉又は花びら
１１      装飾パーツのハート形状の葉又は花びら
１２      装飾パーツ側磁石
１３      装飾パーツ側磁石
１４      人間の爪
１５      ジェル接着剤
【図１】
0003201704.tif 000003
【図２】
0003201704.tif 000004
【図３】
0003201704.tif 000005
【図４】
0003201704.tif 000006
【図５】
0003201704.tif 000007
【図６】
0003201704.tif 000008
【図７】
0003201704.tif 000009
【図８】
0003201704.tif 000010
【図９】
0003201704.tif 000011
【図１０】
0003201704.tif 000012
【図１１】
0003201704.tif 000013
【図１２】
0003201704.tif 000014